(57)【要約】【課題】簡単な構造からなるものでありながら、弾力性があり嵩張る性質の塵を効率良くかつより多く収容できるように構成した塵収容器を提供する。【解決手段】塵Ｒを収容して使用する塵収容器１は、塵収容部２と該塵収容部２の上面３に形成した塵挿入口３ａとを有する容器本体５を備えている。そして、該容器本体５は、塵挿入口３ａから下面６に向かって塵収容部２の内断面積を漸次大きくした裁頭円錐形状からなる。従って、塵収容部２が塵挿入口３ａに向かって狭くなる所謂先細りの形状に基づき、収容する塵Ｒの膨出を効果的に押さえ込むことができる。更に、容器本体５の内周面２ａに凸状部１１を備えていると、該凸状部１１にて、収容した塵Ｒの膨出をより効果的に規制して、更に多くの塵Ｒを収容することが可能になる。【選択図】　　　図１
2004099237.tif 000002
【特許請求の範囲】
【請求項１】
塵を収容して使用する塵収容器において、
塵を収容する塵収容部と、該塵収容部の上面に形成した開口部と、を有する容器本体を備え、
該容器本体は、前記開口部から下面に向かって前記塵収容部の内断面積を漸次大きくした形状からなる、
ことを特徴とする塵収容器。
【請求項２】
前記容器本体の形状は、裁頭円錐形状又は裁頭角錐形状である、
請求項１記載の塵収容器。
【請求項３】
前記容器本体は、内面に凸状部を備えてなる、
請求項１又は２記載の塵収容器。
【請求項４】
前記凸状部は、前記塵収容部の中心側を前記開口部から下面に向かって略々垂下するように形成した塵案内面と、該塵案内面の下端部から前記内面側に屈曲する引掛部と、を備えてなる、
請求項３記載の塵収容器。
【請求項５】
前記容器本体は、上面及び下面にそれぞれ小開口及び大開口を有する複数の樽型の本体形成部材を順次接合してなる、
請求項１ないし４のいずれか記載の塵収容器。
【請求項６】
前記容器本体の下面に下側開口部を備えると共に、該下側開口部を開閉し得る蓋体を備えてなる、
請求項１ないし５のいずれか記載の塵収容器。
【発明の詳細な説明】
【０００１】
【発明の属する技術分野】
本発明は、塵を収容して用いる塵収容器に係り、詳しくは、比較的サイズの大きい袋やシート等を塵として廃棄する際にこの嵩張る塵を効率よく収容できるようにした塵収容器に関する。
【０００２】
【従来の技術】
例えば、手動操作にて容器の容積を減少することによって容器内部の塵を圧縮し、より多くの塵の収容を可能にした圧縮式屑入れが、例えば特許文献１に記載されている。該圧縮式屑入れにあっては、径の異なる円筒状の本体上部と本体下部とを互いに摺動自在に嵌合すると共に、該本体下部に設けたばね格納器に圧縮コイルばねを格納し、かつ該ばね格納器に圧縮棒を装着し、更に本体上部の上側に蓋本体を配置している。そして、該蓋本体には、本体上部の開口を臨むように配置した圧縮板と、該圧縮板を常時上方に付勢する引張りコイルばねと、上下方向に延設されて上記圧縮板を蓋本体と共に下降させるための圧縮用取手と、が設けられている。
【０００３】
該圧縮式屑入れにあっては、本体上部と本体下部とが上下に離間して内方空間を最大に広げた状態にて容器内部に塵が溜まった場合、使用者が圧縮用取手を片手で押下すると、本体上部が本体下部に対してスライドしつつ下降し、これにより、該本体上部と共に圧縮板が下降して容器内部の容積を減少させつつ塵を圧縮する。そして、圧縮動作終了後、圧縮用取手から手を離すと、圧縮板が解放されて、圧縮コイルばねにて本体上部が本体下部から上昇すると共に、引張りコイルばねにて圧縮板が蓋本体に対する定常位置に復帰して、屑入れ全体が内部の容積を最大にした初期状態に戻る。
【０００４】
【特許文献１】
特開平１０−１８１８０４号公報（図１ないし図５）
【０００５】
【発明が解決しようとする課題】
しかし、上記従来の圧縮式屑入れでは、圧縮用取手を押下することにより、本体上部を本体下部に対して下降することで、容器内部の容積を減少させて塵を圧縮することはできるが、例えば該塵が、魚類等を梱包している比較的大サイズのポリ塩化ビニール（以下、単にビニールと言う）製の袋やシート等である場合には、次のような問題が発生し易い。
【０００６】
すなわち、これら比較的大サイズのビニール袋やビニールシート等の塵は、比較的大きな弾力性を有して嵩張るため、上記圧縮式屑入れに収容した状態で圧縮用取手を押下した場合、容器内部の容積減少によって一旦は圧縮されるとしても、圧縮用取手から手を離して圧縮板及び本体上部を解放すると、圧縮から解放されたビニール袋やビニールシート等がその弾性力にて膨出し、円筒状の本体上部の内周面に沿って上昇しつつその体積を増して復元する。このため、折角圧縮した塵が、初期状態に復帰する屑入れと共に復元してしまうため、より多くの塵を収容するという本来の目的を達成することが困難になってしまう。
【０００７】
また、上記従来の圧縮式屑入れは、本体上部、本体下部、圧縮コイルばね、圧縮棒、蓋本体、圧縮板、引張りコイルばね、及び圧縮用取手等の多くの部品を用いて塵の圧縮構造を実現しており、従って、このような複雑な構造では、故障が発生し易く、また製造コストの削減も困難になる等の問題を招来する。
【０００８】
そこで本発明は、部品点数が少なく故障が発生し難い簡単な構成からなるものでありながら、弾力性を有して嵩張る性質の塵を、効率良くかつより多く収容し得るように構成し、もって上述した課題を解決した塵収容器を提供することを目的とするものである。
【０００９】
【課題を解決するための手段】
請求項１に係る本発明は（例えば図１，図２，図５及び図６参照）、塵（Ｒ）を収容して使用する塵収容器（１，１’，１”）において、
塵（Ｒ）を収容する塵収容部（２）と、該塵収容部（２）の上面（３）に形成した開口部（３ａ）と、を有する容器本体（５）を備え、
該容器本体（５）は、前記開口部（３ａ）から下面（６）に向かって前記塵収容部（２）の内断面積を漸次大きくした形状（例えば断面台形状）からなる、
ことを特徴とする塵収容器（１，１’，１”）にある。
【００１０】
なお、上記「塵」は、ビニール袋やビニールシート等以外にも、例えば布や包装用紙等の嵩張る屑類をも含む概念である。また、上記「内断面積」は、塵収容部をその上下方向と直交する平面で断面した際の、該塵収容部の断面積を意味する概念である。
【００１１】
請求項２に係る本発明は（例えば図１，図２，図５及び図６参照）、前記容器本体（５）の形状は、裁頭円錐形状又は裁頭角錐形状である、
請求項１記載の塵収容器（１，１’，１”）にある。
【００１２】
請求項３に係る本発明は（例えば図１，図２，図５及び図６参照）、前記容器本体（５）は、内面（２ａ，４，２ａ’）に凸状部（１１、４，１３、１１’）を備えてなる、
請求項１又は２記載の塵収容器（１，１’，１”）にある。
【００１３】
請求項４に係る本発明は（例えば図１ないし図６参照）、前記凸状部（１１、４，１３、１１’）は、前記塵収容部（２）の中心（Ｏ）側を前記開口部（３ａ）から下面（６）に向かって略々垂下するように形成した塵案内面（１１ａ，４，１１ａ’）と、該塵案内面（１１ａ，４，１１ａ’）の下端部から前記内面（２ａ，４，２ａ’）側に屈曲する引掛部（１１ｂ，１３，１１ｂ’）と、を備えてなる、
請求項３記載の塵収容器（１，１’，１”）にある。
【００１４】
請求項５に係る本発明は（例えば図５参照）、前記容器本体（５）は、上面及び下面にそれぞれ小開口（３ａ，１２ａ）及び大開口（１３ａ，６ａ）を有する複数の樽型の本体形成部材（５ａ，５ｂ）を順次接合してなる、
請求項１ないし４のいずれか記載の塵収容器（１’）にある。
【００１５】
請求項６に係る本発明は（例えば図１，図５及び図６参照）、前記容器本体（５）の下面（６）に下側開口部（６ａ）を備えると共に、該下側開口部（６ａ）を開閉し得る蓋体（７）を備えてなる、
請求項１ないし５のいずれか記載の塵収容器（１，１’，１”）にある。
【００１６】
なお、上記カッコ内の符号は、図面と対照するためのものであるが、これは、発明の理解を容易にするための便宜的なものであり、特許請求の範囲の構成に何等影響を及ぼすものではない。
【００１７】
【発明の効果】
請求項１に係る本発明によると、容器本体が、開口部から下面に向かって塵収容部の内断面積を漸次大きくした形状、即ち塵収容部内方から開口部に向かって漸次狭くなる所謂先細り形状を呈しその内面が傾斜していることにより、塵が該内面を押圧する際に、自身の膨出力に起因する下向きの力や該内面による摩擦力を受けて、上方への移動（突出）を抑制される。このため、順次押し込まれる塵は、下面に向かって徐々に内断面積が大きくなる塵収容部内をやや復元しながら下降するものの、それぞれが上記下向きの力や摩擦力にて上方移動を抑制されつつ塵収容部の底部側から順に収容される。従って、部品点数が少なく故障が発生し難い簡単な構成からなるものでありながら、より多くの塵を容易にかつ効率良く収容することができる。そして、下面が上面に比して広い形状からなるので、外観的な安定感と共に、人がつまずいても容易には倒れないという使用上の安定性を得ることができる。
【００１８】
請求項２に係る本発明によると、容器本体の形状が裁頭円錐形状又は裁頭角錐形状であるので、開口部から下面に向かって塵収容部の内断面積が徐々に大きくなる、容器本体の最良の形状を得ることができる。
【００１９】
請求項３に係る本発明によると、塵収容部内面に凸状部を有するので、収容した塵の膨出をより効果的に規制して押さえ込み、一層多くの塵を収容することができる。
【００２０】
請求項４に係る本発明によると、凸状部が塵案内面と引掛部とを備えるので、下面に比して内断面積が小さい開口部から押し込んだ嵩張る塵を、塵案内面が塵収容部の中心側にやや圧縮しつつ下面に向かって円滑に案内し、そして該塵案内面を通過した後再び膨出する塵を引掛部にて直ちに係止して上面への突出動作を確実に抑えつつ、有効に収容することができる。
【００２１】
請求項５に係る本発明によると、容器本体が、上面及び下面にそれぞれ小開口及び大開口を有する複数の樽型の本体形成部材を順次接合して構成されるので、内断面積が異なる適宜のサイズの本体形成部材を所望の個数合わせて接合するだけで、所望サイズの容器本体を容易に作製することができる。
【００２２】
請求項６に係る本発明によると、容器本体が下面に下側開口部を備えると共に、該下側開口部を開閉し得る蓋体を備えているので、蓋体を用いない場合には、容器本体を置いた床面を底蓋として代用しつつ上面の開口部から塵を押し込んで使用することができる。そして、塵が満杯になった場合には、容器本体を床面から持ち上げ、下側開口部から落下した塵を回収して適宜処理することができる。また、蓋体を使用する場合には、塵収容部に塵を収容した状態のまま持ち運び、所望の場所で蓋体を取り外し、下側開口部から落下した塵を適宜処理することができる。なお、蓋体を容器本体にバヨネット機構にて着脱するように構成することができる。その場合、例えば係合爪及び該係合爪を係合する係合部を、それぞれ蓋体及び容器本体に設けるだけで、蓋体を容易かつ確実に着脱し得る着脱機構を簡単に実現することができる。
【００２３】
【発明の実施の形態】
以下、図面に沿って、本発明に係る第１の実施の形態について説明する。図１は、本実施の形態における塵収容器の全体構成を示す斜視図、図２は、該塵収容器の容器本体を断面した断面図、図３は、凸状部を拡大して示す断面図、図４は、一部変形した変形例を示す断面図である。
【００２４】
図１に示すように、本塵収容器１は、塵Ｒ（図２参照）を収容して使用するものであって、塵収容部２、該塵収容部２の上面３に形成した塵挿入口（開口部）３ａ、及び下面６に形成した塵排出口（下側開口部）６ａを有する容器本体５と、該塵排出口６ａを開閉し得る着脱自在な蓋体７と、を備えている。該容器本体５は、塵挿入口３ａから下面６に向かって上記塵収容部２の内断面積を漸次大きくした、塵収容部２の上下方向に平行な平面で断面した形状が台形状である裁頭円錐形状からなる。
【００２５】
なお、本実施の形態における「塵」は、ビニール袋やビニールシート等以外にも、例えば布や包装用紙等の嵩張る屑類をも含む概念である。また、本明細書で言う「上下」とは、重力の方向（例えば図１の下方向）を「下」、これと反対の方向（図１の上方向）を「上」とする、通常の概念を意味している。
【００２６】
蓋体７は、容器本体２の下面６の形状に適合する略々円板形状からなり、その外周面の複数箇所（例えば３箇所）には、容器本体５の下面６の外周面における複数箇所（例えば３箇所）に固着された係合部９とでバヨネット機構を構成する係合爪１０が一体に設けられている。各係合部９は係合溝９ａを有しており、該係合溝９ａは、容器本体５の下面６に蓋体７を被せた状態にて一方向（図１下方から見た際の時計方向）に回動させたとき、その対向する係合爪１０を導き入れて係合するように構成されている。
【００２７】
容器本体５の内周面（内面）２ａ（塵収容部内周面とも言う）における図の上下方向での略々中央部には、円周方向に所定間隔をあけて例えば３個の凸状部１１…が固着されている。各凸状部１１は、図２及び図３に示すように、断面略々鋸歯形状（ラチェット歯形状）からなり、塵収容部２の中心（Ｏ）側を塵挿入口３ａから下面６に向かって略々鉛直方向に延びる（略々垂下する）ように形成した塵案内面１１ａと、該塵案内面１１ａの下端部から内周面２ａ側に略々直角に屈曲する引掛部１１ｂと、を有している。なお、図２では、容器本体５の下部外周の係合部９を図示省略している。
【００２８】
ついで、上述した塵収容器１の作用について説明する。まず、容器本体５の下部外周に位置する各係合部９の係合溝９ａに各係合爪１０を対向させた状態で、該蓋体７を一方向に回動させる。すると、各係合爪１０がその対向する係合部９の係合溝９ａに進入して係合することにより、容器本体５と蓋体７とが一体となる。
【００２９】
この状態において、容器本体５の塵挿入口３ａから、軽く圧縮した（丸めた）ビニール袋やビニールシート等の塵Ｒを矢印Ａで示すように押し込むと、該塵Ｒは、塵挿入口３ａを通過して該塵挿入口３ａより広い塵収容部２内部に進入した時点で、自身の弾性力にて復元すべく膨出しようとする。しかし、塵収容部２が塵挿入口３ａに向かって狭くなる所謂先細り形状からなり、内周面２ａが中心線Ｏに対して傾斜しているので、塵Ｒが該内周面２ａを押圧する際に、自身の膨出力に起因する下向きの力や該内周面２ａによる摩擦力を受けて、上方への移動（突出）を抑制される。このため、順次押し込まれる塵Ｒは、下面６に向かって徐々に内断面積が大きくなる塵収容部２内をやや復元しながら下降するものの、それぞれが上記下向きの力や摩擦力により上方移動を抑止されつつ、塵収容部２の底部側から順に収容されることになる。従って、より多くの塵Ｒを容易にかつ安定して収容することができる。
【００３０】
しかも、塵収容部２の内周面２ａに凸状部１１…が設けられているので、下面６に比して内断面積が小さい塵挿入口３ａから押し込まれた嵩張る塵Ｒを、塵案内面１１ａにて中心（Ｏ）側にやや圧縮しつつ下面６に向かって円滑に案内し、そして該塵案内面１１ａを通過した後再び膨出する該塵Ｒを引掛部１１ｂにて直ちに係止して上面３への突出動作を確実に抑えつつ収容することができる。このように、収容した塵Ｒの膨出をより効果的に規制して押さえ込み、一層多くの塵Ｒを収容することができる。
【００３１】
そして、塵Ｒが満杯になった場合、塵収容部２に塵Ｒを収容した状態の塵収容器１を所望の場所に持ち運んで、蓋体７を上述と逆方向に回動させて取り外し、塵排出口６ａから落下した塵Ｒを適宜処理する。一方、蓋体７を用いずに塵収容器１を使用する場合には、容器本体５を置いた床面を底蓋として代用しつつ上面３の塵挿入口３ａから塵Ｒを押し込んで使用し、その後、収容した塵Ｒを処分する際には、容器本体５を床面から持ち上げ、塵排出口６ａから落下した塵Ｒを回収して適宜処理することができる。このように床面を底蓋として代用する際には、容器本体５に適度の重量を持たせることが、塵Ｒの弾性力による該容器本体５の浮き上がりを抑える上で望ましい。
【００３２】
また、本塵収容器１の容器本体５は、下面６が上面３に比して広い断面台形状である裁頭円錐形状からなるので、外観的な安定感と、人がつまずいても容易には倒れないという使用上の安定性とを得ることができると共に、塵挿入口３ａから下面６に向かって塵収容部２の内断面積が徐々に大きくなる最良の形状の容器本体５を実現できる。そして、本塵収容器１では、容器本体５に蓋体７をバヨネット機構にて着脱するように構成しているので、係合爪１０と係合部９とを蓋体７と容器本体５とにそれぞれ設けるだけで、蓋体７を容易かつ確実に着脱し得る着脱機構を簡単に実現することができる。
【００３３】
なお、図３に示すように、凸状部１１における塵案内面１１ａを、１１ａ’で示すように更に下方に延設して、内周面（内面）２ａ側に鋭角状に屈曲する引掛部１１ｂ’として形成すれば、塵挿入口３ａから順次押し込んだ塵Ｒの膨出を抑える効果をより向上させることができる。また、同図１１ａ”で示すように、中心線Ｏ（図２参照）から内周面２ａ側に傾斜しつつ略々垂下する塵案内面として形成することができる。この場合、引掛部を、上記塵案内面１１ａ”の下端部から内周面２ａ側に略々直角に屈曲するように形成し、或いは、同図１１ｂ”で示すように上記塵案内面１１ａ”の下端部から内周面２ａ側に鈍角状に屈曲する引掛部１１ｂ’として形成することもできる。これらの場合にも、上述と同様の効果を得ることができる。
【００３４】
また、前記凸状部１１の配置位置は、上述した塵収容部２の上下方向での略々中央部分に限らず、例えば図４に示すように、略々中央部分より下方側と上方側とにそれぞれ配置（上下２段）することで、ビニール袋等のような嵩張る塵Ｒを押し込んだ際の膨出抑制効果を更に向上させて、より多くの塵を収容できるようにすることも可能である。更に、前記凸状部１１の配置位置を、上下２段を超える段数とすることもでき、その場合、上記膨出抑制効果がより向上する。
【００３５】
ついで、図５に沿って、本発明に係る第２の実施の形態について説明するが、図１及び図２に示した先の実施の形態に比し、容器本体５を上下２個の本体形成部材５ａ，５ｂにて構成すると共に、上側の本体形成部材５ａの小開口（３ａ）にて前記塵挿入口３ａを構成した点が異なるだけで、他の部分は略々同一なので、主要部分に同一符号を付してその説明を省略する。
【００３６】
すなわち、本塵収容器１’において、容器本体５は、上面３，１２及び下面１３，６にそれぞれ小開口（３ａ，１２ａ）及び大開口（１３ａ，６ａ）を有しかつ内断面積や外径を含むサイズが互に異なる２個の略々相似形の本体形成部材５ａ，５ｂを、順次接合することで構成されている。これら樽型の本体形成部材５ａ，５ｂの内の上側の本体形成部材５ａは、第１の実施形態における前記塵挿入口３ａを構成する上記小開口（３ａ）と、塵通過口１３ａを有する下面１３と、を有している。また、下側の本体形成部材５ｂは、自身よりも小サイズの本体形成部材５ａを下側から挿通して該形成部材５ａの外周面の略々中央部に接触してこれを嵌着する挿通口１２ａと、前記塵排出口（下側開口部）６ａを構成する上記大開口（６ａ）と、を有している。なお、上記下面１３の周縁部は、容器本体５の内周を帯状に延びるように形成されて、本発明に係る凸状部の引掛部を構成し、また本体形成部材５ａにおける上記下面１３周縁部から上方に延びる、容器本体５の内周面（内面）４（塵収容部内周面とも言う）は、本発明に係る凸状部の塵案内面を構成している。
【００３７】
本実施の形態における塵収容器１’によると、上述した第１の実施形態における効果に加えて、互にサイズが異なる本体形成部材５ａ，５ｂを所望の個数合わせて接合するだけで、所望サイズの容器本体５を容易に作製できるという効果が得られる。更に、該塵収容器１’によると、容器本体５の開口部３ａを、本体形成部材５ａ，５ｂの内の上側に位置する本体形成部材５ａの小開口（３ａ）にて適宜構成できると共に、上記容器本体５の塵排出口６ａを、下側に位置する本体形成部材５ｂの大開口（６ａ）にて適宜構成することができる。本実施の形態では、２個の本体形成部材５ａ，５ｂを用いて容器本体５を構成したが、個数はこれに限定されるものではなく、３個以上の本体形成部材を用いて容器本体５を構成することもできる。
【００３８】
なお、上述の第１及び第２の実施形態では、便宜上、凸状部１１の個数を３個として記載したが、これに限らず、該凸状部１１の個数は必要に応じて３個より少なく、或いは３個より多い個数に適宜設定することができる。更に、複数個の凸状部１１…を円周方向に連続するように構成した帯状の凸状部１１として構成することもでき、この場合にも上述と同様の効果を得ることができる。
【００３９】
つづいて、図６に沿って、本発明に係る第３の実施の形態について説明する。本実施の形態は、図１ないし図５に示した先の実施の形態に比し、容器本体５が裁頭四角錐形状である点で異なるが、先の実施形態と機能的に共通する部分には同一符号を付してその説明を省略することとする。なお、図６では、内部構造の理解を容易にするために、容器本体５の前面を切断して記載している。
【００４０】
本塵収容器１”において、容器本体５は、四角形状の塵挿入口３ａから四角形状の下面６に向かって上記塵収容部２の内断面積を漸次大きくした断面台形状である裁頭四角錐形状からなり、内面２ａ’（塵収容部内面とも言う）に凸状部１１’を有している。該凸状部１１’は、容器本体５の内面２ａ’の上下方向略々中央部分から上方に向かって階段状に形成された複数の段部により構成されている。各凸状部１１’は、塵収容部２の中心側を開口部３から下面６に向かって略々垂下するように形成した塵案内面１１ａ’と、該塵案内面１１ａ’の下端部から上記内面２ａ’側に屈曲する引掛部１１ｂ’と、を有している。
【００４１】
また、本塵収容器１”は、容器本体５の下面６に四角形状の下側開口部６ａを有すると共に、該下側開口部６ａを開閉し得る四角形状の蓋体７を有している。該蓋体７は、バヨネット式を採用したものではなく、その柔軟性により容器本体５の四角形状の下面６に嵌め込み固定され得る形式を採用している。従って、使用者が必要に応じて該蓋体７を容器本体５の下面６に対して着脱することにより、下側開口部６ａを容易に閉じ又は開放することができる。
【００４２】
本実施の形態における塵収容器１”によると、上述した第１の実施形態における効果に加えて、塵挿入口３ａまで塵Ｒを一杯に詰め込んだ際等に、該塵挿入口３ａ付近の塵Ｒを塵収容部２外方に突出させないように押さえ込む、より強い力を発生できるという効果が得られる。
【００４３】
なお、上述した第１ないし第３の実施形態では、容器本体５の形状に、上部（頭部）を裁断した裁頭円錐形状及び裁頭四角錐形状を採用したが、これらに限らず、断面楕円形の裁頭円（楕円）錐形状、三角錐、五角錐、六角錐、或いはそれ以上の多角錐の頭部を裁断した裁頭角錐形状を採用しても良いことは勿論である。また、前記「内断面積」は、塵収容部２をその上下方向と直交する方向（平面）で断面した際の、該塵収容部２の断面積を意味するものである。
【図面の簡単な説明】
【図１】本発明に係る第１の実施の形態における塵収容器の全体構成を示す斜視図。
【図２】第１の実施の形態における塵収容器の容器本体を断面した断面図。
【図３】凸状部を拡大して示す断面図。
【図４】一部変形した変形例を示す断面図。
【図５】本発明に係る第２の実施の形態における塵収容器の全体構成を示す斜視図。
【図６】本発明に係る第３の実施の形態における塵収容器の全体構成を示す斜視図。
【符号の説明】
１，１’，１”　塵収容器
２　塵収容部
２ａ　内面（内周面）
２ａ’　内面
３　上面
３ａ　開口部、小開口（塵挿入口）
４　塵案内面、内面（内周面）
５　容器本体
５ａ，５ｂ　本体形成部材
６　下面
６ａ　下側開口部、大開口（塵排出口）
７　蓋体
９　係合部
９ａ　係合溝
１０　係合爪
１１　凸状部
１１’　凸状部
１１ａ　塵案内面
１１ｂ　引掛部
１２ａ　挿通口
１３　引掛部（下面）
１３ａ　塵通過口
Ｏ　中心線
Ｒ　塵
【図１】
2004099237.tif 000003
【図２】
2004099237.tif 000004
【図３】
2004099237.tif 000005
【図４】
2004099237.tif 000006
【図５】
2004099237.tif 000007
【図６】
2004099237.tif 000008